(57)【要約】【課題】  巻尺の高速回転する回転ドラムの軸嵌部とケースの内壁に立設した軸との断続する接触を従来よりも増して低減できるようにし、また、接触した場合であっても接触を素早く解除できて、接触による騒音や、接触により回転速度が増減することによる振動を、巻尺の使用者が殆ど感じないレベルに低減できる巻尺を提供することを目的とする。【解決手段】  回転ドラム４の軸嵌部５と、この軸嵌部５に対峙する同回転ドラム４を回転自在に支持する軸３にそれぞれマグネット６、７を配設して、これらマグネット６、７間に生じる磁気反発作用によって、回転ドラム４の回転方向の動きを抑制するように構成した。【選択図】  図１
2012013445.tif 000002
【特許請求の範囲】
【請求項１】
ケース内に、測定用テープを周囲に巻回し、同測定用テープを巻き取り方向に付勢する付勢手段を内装した回転ドラムがケースの内壁に立設する軸に回転自在に支持された自動巻取り式の巻尺であって、前記回転ドラムの軸嵌部と、この軸嵌部に対峙する前記軸に、磁気的に互いに反発する方向となるようにそれぞれマグネットを配設して、これらマグネット間に生じる磁気反発作用により、前記回転ドラムの回転方向の動きを抑制するように構成してなる巻尺。
【請求項２】
前記軸嵌部と軸に設けた磁気反発作用を生じさせるマグネットに加え、同軸嵌部と軸に、磁気的に互いに吸引する方向となるようにマグネットを配設し、かつ反発するマグネットによる磁気反発作用よりも、吸引するマグネットによる磁気吸引作用が小となるように設定してなる請求項１に記載の巻尺。
【発明の詳細な説明】
【技術分野】
【０００１】
本発明は、測定用テープをケース内に自動で巻き取る自動巻き取り式の巻尺に関し、より詳しくは、測定用テープを巻き取る際に生じる騒音や振動を低減できるようにした巻尺に関する。
【背景技術】
【０００２】
従来、測定用テープを巻回する回転ドラムは、ケースの内壁に立設した軸に回転可能に軸支されていて、測定用テープがケース外に引き出される時や、同テープをケース内に巻き取る際に、前記軸に案内されて回転する。
【０００３】
この回転ドラムは、成型性や経済性に優れかつ軽量にできる樹脂素材で形成するのが普通であることから、この回転ドラムを支持する軸を樹脂素材で構成した場合は、測定用テープをケース内に巻き取るために高速回転する回転ドラムと軸との接触部位における融着防止のため、また、軸を鋼材などの回転ドラムよりも硬い素材で構成した場合は、回転ドラムと軸との接触部位における回転ドラムの摩耗を防止するため、回転ドラムは軸に遊嵌状態で支持している。
【０００４】
したがって、測定用テープの巻き取りなどで回転ドラムが高速回転すると、回転ドラムの回転方向への振れが大になって同回転ドラムの軸嵌部がケース内壁に立設した軸に断続して接触することがあり、この接触による騒音や、接触により回転速度の変化に起因する振動が頻繁に生じていた。
【０００５】
また一部の巻尺には、回転ドラムの軸嵌部と軸との接触部位にブッシュなどの低摩擦部材を介在させて回転ドラムと軸との遊びを小にし、回転ドラムが高速回転した場合に、前記軸嵌部と軸との断続する接触を低減させたものもあるが、引き出された測定用テープが回転ドラムに巻回されていって回転ドラムの重量が大きくなっていくと、高速回転する回転ドラムの姿勢が不安定になって同回転ドラムの軸嵌部が軸に断続して接触する場合があり、前述の回転ドラムを軸に遊嵌状態で支持しているものよりは軸嵌部と軸との断続する接触は低減されるものの、接触による騒音や、接触による回転速度の変化に伴う振動が生じていた。
【先行技術文献】
【特許文献】
【０００６】
【特許文献１】特開平１１−１６０００１号公報（第１〜４頁、図１〜４）
【発明の概要】
【発明が解決しようとする課題】
【０００７】
本発明の目的とするところは、高速回転する回転ドラムの軸嵌部とケース内壁に立設した軸との断続する接触を従来よりも増して低減できるようにし、また、接触した場合であっても接触を素早く解除できて、接触による騒音や、接触により回転速度が増減することによる振動を、巻尺の使用者が殆ど感じないレベルに低減できる巻尺を提供できるようにすることにある。
【課題を解決するための手段】
【０００８】
上述した課題を解決するために、本発明に係る巻尺は、ケース内に、測定用テープを周囲に巻回し、同測定用テープを巻き取り方向に付勢する付勢手段を内装した回転ドラムがケースの内壁に立設する軸に回転自在に支持された自動巻取り式の巻尺であって、前記回転ドラムの軸嵌部と、この軸嵌部に対峙する前記軸に、磁気的に互いに反発する方向となるようにそれぞれマグネットを配設して、これらマグネット間に生じる磁気反発作用により、前記回転ドラムの回転方向の動きを抑制するように構成したものとしてある。
【０００９】
また、前記軸嵌部と軸に設けた磁気反発作用を生じさせるマグネットに加え、同軸嵌部と軸に、磁気的に互いに吸引する方向となるようにマグネットを配設し、かつ反発するマグネットによる磁気反発作用よりも、吸引するマグネットによる磁気吸引作用が小となるように設定したものとしてある。
【発明の効果】
【００１０】
本発明に係る巻尺によれば、引き出された測定用テープを巻き取っている回転ドラムが高速回転になって回転方向への振れが生じ始めた場合には、回転ドラムの軸嵌部と、ケース内壁に立設して前記軸嵌部に対峙する軸にそれぞれ設けたマグネット間に生じる磁気反発作用がダンパ装置の代わりとなって回転方向の振れを抑え、また、振れによって軸に近づいて行こうとする回転ドラムの軸嵌部をこの軸より離すので、回転ドラムの回転姿勢を常に安定して制御でき、前記軸嵌部と軸との接触を低減することができる。
【００１１】
また、回転ドラムの軸嵌部が軸に接触した場合は、軸嵌部と軸にそれぞれ設けたマグネットの間に生じる磁気反発作用によって軸に接触した軸嵌部を素早く軸より離脱させるので、前記軸嵌部と軸とが接触することによる騒音や、接触により回転速度が増減することによる振動を、巻尺の使用者が殆ど感じないレベルにまで低減することができる。
【００１２】
さらに、回転ドラムの軸嵌部およびケース内壁に立設する軸に、磁気反発作用に加えてこの磁気反発作用よりも小なる磁気吸引作用を生じさせる対のマグネットを設けているものは、磁気反発作用による回転ドラムの回転方向に生じる振れの低減とともに、磁気吸引作用によりこの回転方向に生じる振れを素早く減衰させることができる。
【００１３】
そして、巻尺機構に影響を及ぼさない範囲内において磁力の強大なマグネットを用いることにより、回転ドラムと軸との接触をゼロに等しくすることも可能である。
【００１４】
また、回転ドラムと軸との接触を低減できるので、測定用テープを回転ドラムに巻き取るための巻き取り用ばねも、従来よりも短くあるいは幅を小さくできるので、したがって、製造コストの低減や巻尺の軽量化もできる。
【図面の簡単な説明】
【００１５】
【図１】本発明に係る巻尺の第１実施例をケースの測定用テープ出入口と反対のケース背面側から見る内部構造の概略を示す縦断面図。
【図２】図１中に示した回転ドラムおよび軸におけるマグネットの配設例を示す図。
【図３】図２中に示したマグネット付近の拡大図。
【図４】本発明に係る巻尺の第２実施例をケースの測定用テープ出入口と反対のケース背面側から見る内部構造の概略を示す縦断面図。
【図５】巻尺の一例を示す斜視図。
【発明を実施するための形態】
【００１６】
以下、本発明に係る巻尺の第１実施例を、添付図面に示す具体例に基づいて詳細に説明する。
【００１７】
本巻尺は、図１、２に示すように、巻尺１の本体たるケース２内に立設する軸３に回転自在に支持した回転ドラム４の内側の軸嵌部５と、この軸嵌部５に対峙する前記軸３の周り（外側）に、同じ極性の磁極を対向させて外輪のマグネット６、内輪のマグネット７を配設している。
【００１８】
以下、上述のように構成した本発明に係る巻尺の作用について説明する。
【００１９】
停止時における回転ドラム４は、軸嵌部５と軸３にそれぞれ設けたマグネット６、７間に生じる磁気反発作用によって、軸嵌部５すなわち回転ドラム４は軸３との間に隙間を開けて同軸３に支持（非接触支持）される。
【００２０】
回転ドラム４が回転する場合は、軸嵌部５と軸３にそれぞれ設けたマグネット６、７間に生じる磁気反発作用によって、軸嵌部５と軸３との間に隙間を開けて回転（非接触回転）する。
【００２１】
そして、回転ドラム４が高速回転になって回転方向すなわちケース周回壁８方向への振れが生じ始めた場合には、軸嵌部５と軸３にそれぞれ設けたマグネット６、７間に生じる磁気反発作用がダンパ装置の代わりとなってケース周回壁８方向への動きを抑えるとともに、軸３に近づこうとする軸嵌部５すなわち回転ドラム４を、軸３より離す。
【００２２】
また、回転している回転ドラム４の軸嵌部５が軸３に接触した場合には、軸嵌部５と軸３にそれぞれ設けたマグネット６、７間に生じる磁気反発作用によって、軸３に接触した軸嵌部５すなわち回転ドラム４を素早く軸３より離脱させる。
【００２３】
そして、図４に示す第２実施例は、同じ極性の磁極を対向させて回転ドラム４の軸嵌部５と軸３にそれぞれ配設したマグネット６、７に加えて、同軸嵌部５と軸３に異なる極性の磁極を対向させてそれぞれマグネット９、１０配設し、かつ、マグネット９、１０間に生じる磁気作用力を、マグネット６、７間に生じる磁気作用力よりも小なる磁気作用力にしている。
【００２４】
停止時における回転ドラム４はマグネット６、７間に生じる磁気反発作用によって、軸嵌部５すなわち回転ドラム４は軸３との間に隙間を開けて同軸３に支持される。
【００２５】
また、マグネット９、１０間に生じる磁気吸引作用によって、軸嵌部５すなわち回転ドラム４には軸３方向への引き付け力が作用している。
【００２６】
回転ドラム４が回転する場合は、マグネット６、７間に生じる磁気反発作用によって、軸嵌部５と軸３との間に隙間を開けて回転する。
【００２７】
そして、回転ドラム４が高速回転になって回転方向すなわちケース周回壁８方向への振れが生じ始めた場合には、マグネット６、７間に生じる磁気反発作用がダンパ装置の代わりとなって動きを抑制するとともに、軸３に近づこうとする軸嵌部５すなわち回転ドラム４を、軸３より離す。
【００２８】
かつ、マグネット６、７間に生じる磁気反発作用によって軸３に近づこうとする軸嵌部５すなわち回転ドラム４が軸３より離されて安定した回転ができる位置に案内される際に、マグネット９、１０間に生じる磁気吸着作用がショックアブソーバ装置の代わりとなって、同回転ドラム４を所望の回転位置に素早く安定させる。
【００２９】
さらに、回転している回転ドラム４の軸嵌部５が軸３に接触した場合には、マグネット６、７間に生じる磁気反発作用によって、軸３に接触した軸嵌部５すなわち回転ドラム４を素早く軸３より離脱させる。
【００３０】
かつ、マグネット６、７間に生じる磁気反発作用によって軸３に接触した回転ドラム４が軸３より離されて安定した回転ができる位置に案内される際に、マグネット９、１０間に生じる磁気吸着作用がショックアブソーバ装置の代わりとなって、同回転ドラム４を所望の回転位置に素早く安定させる。
【００３１】
そして、マグネットには、ネオジムを主原料とする高性能な希土類磁石や、加工性に富む塑性加工磁石を用いる場合がある。
【００３２】
実施例における図中の符号１１は、巻尺１の測定用テープ、符号１２は、ケース２における測定用テープ１１の出入り口、符合１３は、測定用テープ１１先端を係着するための係止片、符号１４は、巻尺１を携帯する際に作業者のベルトに係着するためのベルトクリップ、符号１５は、測定用テープ１１を回転ドラム４の周囲に巻き取るための巻き取りばね、符号１６は、回転ドラム４における軸３の通孔、符号１７は、軸３の軸受け部、符号１８は、測定用テープ１１を引き出した位置で固定するためのブレーキレバーである。
【００３３】
また、本発明の回転ドラムの左右の側壁は、回転ドラムのフランジも含むものとする。
【００３４】
また、軸嵌部と軸に配設するマグネットの形状や位置は、磁気反発作用乃至は磁気吸引作用を生じて回転ドラムが所望の位置で維持、回転できるように選択すればよい。
【符号の説明】
【００３５】
１  巻尺
２  ケース
３  軸
４  回転ドラム
５  軸嵌部
６  マグネット
７  マグネット
８  ケース周回壁
９  マグネット
１０  マグネット
１１  測定用テープ
１２  出入り口
１３  係止片
１４  ベルトクリップ
１５  巻き取りばね
１６  通孔
１７  軸受け部
１８  ブレーキレバー
【図１】
2012013445.tif 000003
【図２】
2012013445.tif 000004
【図３】
2012013445.tif 000005
【図４】
2012013445.tif 000006
【図５】
2012013445.tif 000007